(57)【要約】【課題】入力装置に入力された情報に応じた表示を行う装置の発熱の低減を図る。【解決手段】入力装置４００−１，４００−２が、外部から操作されることで、その操作に応じた操作情報を入力装置４００−１，４００−２に入力し、情報処理装置３００が、入力装置４００−１，４００−２に入力された操作情報を入力装置４００−１，４００−２から取得し、表示装置２００が、情報処理装置３００が取得した操作情報に応じた表示を、ディスプレイ１００に行わせる。【選択図】図１
2012226431.tif 000002
【特許請求の範囲】
【請求項１】
ディスプレイと、
外部から操作されることで、該操作に応じた操作情報が入力される入力装置と、
前記入力装置に入力された操作情報を該入力装置から取得し、該取得した操作情報を送信する情報処理装置と、
前記情報処理装置から送信されてきた操作情報に応じた表示を、前記ディスプレイに行わせる表示装置とを有する表示システム。
【請求項２】
請求項１に記載の表示システムにおいて、
前記入力装置は、前記入力された操作情報を前記情報処理装置へ送信し、
前記情報処理装置は、前記入力装置から送信されてきた操作情報を前記表示装置へ送信することを特徴とする表示システム。
【請求項３】
請求項１または請求項２に記載の表示システムにおいて、
複数の前記入力装置を有し、
前記情報処理装置は、前記複数の入力装置それぞれに入力された複数の操作情報を取得してまとめ、該まとめた操作情報を前記表示装置へ送信することを特徴とする表示システム。
【請求項４】
請求項１乃至３のいずれか１項に記載の表示システムにおいて、
前記情報処理装置は、当該情報処理装置に入力された操作情報と、前記入力装置から取得した操作情報とをまとめ、該まとめた操作情報を前記表示装置へ送信することを特徴とする表示システム。
【請求項５】
請求項１乃至４のいずれかに記載の表示システムにおいて、
前記情報処理装置は、近距離無線通信を用いて前記操作情報を前記入力装置から取得することを特徴とする表示システム。
【請求項６】
請求項１乃至５のいずれか１項に記載の表示システムにおいて、
前記入力装置は、携帯端末装置であることを特徴とする表示システム。
【請求項７】
外部から操作されることで、該操作に応じた操作情報が入力された入力装置から、該操作情報を取得する情報取得部と、
前記情報取得部が取得した操作情報を、ディスプレイに情報を表示させる表示装置へ送信する情報送信部とを有する情報処理装置。
【請求項８】
ディスプレイに情報を表示させる表示方法であって、
入力装置が、外部から操作されることで、該操作に応じた操作情報を当該入力装置に入力する処理と、
前記入力装置との間で通信可能な情報処理装置が、前記入力装置に入力された操作情報を該入力装置から取得する処理と、
前記ディスプレイに表示を行わせる表示装置が、前記情報処理装置が取得した操作情報に応じた表示を、前記ディスプレイに行わせる処理とを行う表示方法。
【発明の詳細な説明】
【技術分野】
【０００１】
本発明は、情報を表示する表示システム、情報処理装置および表示方法に関する。
【背景技術】
【０００２】
近年、携帯端末装置等の電子機器とディスプレイとをＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル等を用いて接続することで、当該携帯端末装置に表示されている画像を、ディスプレイに表示させる技術が考えられている。さらに、携帯端末装置へ所定の入力を行うことで、ディスプレイに表示されている画像を操作する技術も存在する。
【０００３】
しかしながら、このような技術において、ディスプレイに表示されている画像の操作を行うことができるのは、当該ディスプレイと接続されている携帯端末装置に限られる。そのため、その携帯端末装置への入力を行うことができない利用者は、表示されている画像の操作を行うことはできない。
【０００４】
そこで、複数の携帯端末装置が存在する場合であっても、スクリーンに表示されている画像を、所定の入力が行われたすべての携帯端末装置から操作する技術が考えられている（例えば、特許文献１参照。）。この技術においては、複数の携帯端末装置とスクリーンに画像を表示させる表示装置とを、送受信装置およびコンピュータを介して接続することで、この操作を実現させている。
【０００５】
また、同様に、複数の利用者がそれぞれ所持する携帯端末が、無線通信網を介して、ディスプレイに画像を表示させるゲームサーバと接続することで、その複数の利用者の携帯端末への入力それぞれに応じた表示をゲームサーバがディスプレイに行わせる技術が考えられている（例えば、特許文献２参照。）。
【先行技術文献】
【特許文献】
【０００６】
【特許文献１】特開２００６−２６８４４２号公報
【特許文献２】特開２００９−０００１６３号公報
【発明の概要】
【発明が解決しようとする課題】
【０００７】
しかしながら、特許文献１，２に記載されたような技術においては、所定の入力が行われる携帯端末が複数存在する場合、その複数の携帯端末への入力を収集する処理と、スクリーン（ディスプレイ）に画像を表示させる処理とを、１つの装置が行っているため、当該装置において多くの電力を消費してしまい、それを原因として大きな発熱が生じてしまうという問題点がある。
【０００８】
本発明の目的は、上述した課題を解決する表示システム、情報処理装置および表示方法を提供することである。
【課題を解決するための手段】
【０００９】
本発明の表示システムは、
ディスプレイと、
外部から操作されることで、該操作に応じた操作情報が入力される入力装置と、
前記入力装置に入力された操作情報を該入力装置から取得し、該取得した操作情報を送信する情報処理装置と、
前記情報処理装置から送信されてきた操作情報に応じた表示を、前記ディスプレイに行わせる表示装置とを有する。
【００１０】
また、本発明の情報処理装置は、
外部から操作されることで、該操作に応じた操作情報が入力された入力装置から、該操作情報を取得する情報取得部と、
前記情報取得部が取得した操作情報を、ディスプレイに情報を表示させる表示装置へ送信する情報送信部とを有する。
【００１１】
また、本発明の表示方法は、
ディスプレイに情報を表示させる表示方法であって、
入力装置が、外部から操作されることで、該操作に応じた操作情報を当該入力装置に入力する処理と、
前記入力装置との間で通信可能な情報処理装置が、前記入力装置に入力された操作情報を該入力装置から取得する処理と、
前記ディスプレイに表示を行わせる表示装置が、前記情報処理装置が取得した操作情報に応じた表示を、前記ディスプレイに行わせる処理とを行う。
【発明の効果】
【００１２】
以上説明したように、本発明においては、入力装置に入力された情報に応じた表示を行う装置の発熱の低減を図ることができる。
【図面の簡単な説明】
【００１３】
【図１】本発明の表示システムの一形態を示す図である。
【図２】図１に示した表示システムが、ゲームのシステムに適用された場合の一形態を示す図である。
【図３】図１に示した表示システムが、会議システムに適用された場合の一形態を示す図である。
【図４】図３に示した、入力装置として機能する携帯端末の内部構造の一例を示す図である。
【図５】図３に示した、情報処理装置として機能する携帯端末の内部構造の一例を示す図である。
【図６】図３に示した表示装置の内部構造の一例を示す図である。
【図７】図３に示した形態における表示方法の第１の例を説明するためのシーケンス図である。
【図８】図３に示した形態における表示方法の第２の例を説明するためのシーケンス図である。
【図９】図３に示した形態における表示方法の第３の例を説明するためのシーケンス図である。
【図１０】図５に示した情報取得部における、操作情報をまとめる処理の一例のタイミングを示すタイムチャートである。
【図１１】図５に示した情報取得部における、操作情報をまとめる処理の他の例のタイミングを示すタイムチャートである。
【発明を実施するための形態】
【００１４】
以下に、本発明の実施の形態について図面を参照して説明する。
【００１５】
図１は、本発明の表示システムの一形態を示す図である。
【００１６】
本形態は図１に示すように、ディスプレイ１００と、表示装置２００と、情報処理装置３００と、入力装置４００−１，４００−２とから構成されている。
【００１７】
ディスプレイ１００は、カラー液晶パネルや有機ＥＬ（Ｅｌｅｃｔｒｏ−Ｌｕｍｉｎｅｓｃｅｎｃｅ）等の画像を表示可能な装置である。
【００１８】
表示装置２００は、情報処理装置３００から送信されてきた操作情報に応じた表示を、ディスプレイ１００に行わせる。具体的には、表示装置２００は、情報処理装置３００から送信されてきた操作情報に応じた画像をディスプレイ１００に表示させるための表示信号をディスプレイ１００へ送信する。
【００１９】
なお、ディスプレイ１００と表示装置２００とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル等の有線を用いて接続されていても良いし、無線ＬＡＮ（Ｌｏｃａｌ  Ａｒｅａ  Ｎｅｔｗｏｒｋ）等の無線を用いて接続されていても良い。また、ディスプレイ１００がスクリーンであり、表示装置２００がプロジェクタであっても良い。
【００２０】
情報処理装置３００は、入力装置４００−１，４００−２に入力された操作情報を入力装置４００−１，４００−２から取得する。この取得の方法は、入力装置４００−１，４００−２から送信されてきた操作情報を受信するものであっても良いし、情報処理装置３００が、入力装置４００−１，４００−２に入力されて入力装置４００−１，４００−２内に保持されている操作情報を読み出すものであっても良いし、あるいは、情報処理装置３００が、入力装置４００−１，４００−２に対して操作情報の送信要求を行い、その要求に対して入力装置４００−１，４００−２から送信されてきた操作情報を受信するものであっても良い。
【００２１】
また、情報処理装置３００は、入力装置４００−１，４００−２から取得した操作情報を表示装置２００へ送信する。このとき、情報処理装置３００は、入力装置４００−１，４００−２から取得した操作情報をまとめ、まとめた操作情報を表示装置２００へ送信する。この「まとめる」処理については、後述する。
【００２２】
入力装置４００−１，４００−２は、外部から利用者が操作することで、その操作に応じた操作情報を入力装置４００−１，４００−２に入力する。また、入力装置４００−１，４００−２は、入力された操作情報を情報処理装置３００へ送信する。この送信のタイミングは、あらかじめ設定されたタイミングであっても良いし、情報処理装置３００から操作情報の送信要求があったときであっても良い。また、入力装置４００−１，４００−２は、入力された操作情報を保持しておくものであっても良い。
【００２３】
なお、情報処理装置３００と入力装置４００−１，４００−２とは、ＢｌｕｅＴｏｏｔｈや赤外線通信等の近距離無線通信または無線ＬＡＮを用いて、通信を可能とし、操作情報の送受信を行うものであっても良い。
【００２４】
なお、情報処理装置３００が、入力装置４００−１，４００−２のように、外部から利用者が操作することで、その操作に応じた操作情報を情報処理装置３００に入力するものであっても良い。この場合、情報処理装置３００は、情報処理装置３００に入力された操作情報と、入力装置４００−１，４００−２から取得した操作情報とをまとめ、まとめた操作情報を表示装置２００へ送信する。
【００２５】
以下に、図１に示した表示システムの適用例を挙げる。
【００２６】
図２は、図１に示した表示システムが、ゲームのシステムに適用された場合の一形態を示す図である。
【００２７】
図２に示した形態においては、図１に示した情報処理装置３００が制御装置３１０であり、入力装置４００−１，４００−２がそれぞれコントローラ４１０−１，４１０−２である形態となる。
【００２８】
コントローラ４１０−１，４１０−２は、ディスプレイ１００に表示されたゲームの画像を利用者が操作するためのものである。利用者がコントローラ４１０−１，４１０−２を操作することで、その操作に応じて入力された操作情報が制御装置３１０へ送信される。
【００２９】
制御装置３１０は、コントローラ４１０−１，４１０−２から送信されてきた操作情報をまとめ、まとめた操作情報を表示装置２００へ送信する。
【００３０】
このように、複数のコントローラ４１０−１，４１０−２を用いてディスプレイ１００に表示された画像を操作することで、複数人向けの対戦ゲームのシステムを実現することができる。
【００３１】
図３は、図１に示した表示システムが、会議システムに適用された場合の一形態を示す図である。
【００３２】
図３に示した形態においては、図１に示した情報処理装置３００が携帯端末３２０であり、入力装置４００−１，４００−２がそれぞれ携帯端末４２０−１，４２０−２である形態となる。
【００３３】
携帯端末４２０−１，４２０−２は、情報を表示するディスプレイや、情報を入力するためのキーやタッチパネル等が具備された携帯端末装置である。
【００３４】
図４は、図３に示した携帯端末４２０−１の内部構造の一例を示す図である。また、図４には、図３に示した携帯端末４２０−１が具備する構成要素のうち、本発明に関わる構成要素のみを示した。なお、携帯端末４２０−２の内部構造は、携帯端末４２０−１と同様の動作をするものであれば良く、特に限定しない。
【００３５】
図３に示した携帯端末４２０−１には図４に示すように、入力部４２１と、通信部４２２とが設けられている。
【００３６】
入力部４２１は、キーやタッチパネル等の利用者が操作することで、その操作に応じた操作情報の入力を行うものである。また、入力部４２１は、入力された操作情報を通信部４２２へ出力する。この操作情報は、例えば、ディスプレイ１００に表示されている画面を右側へ移動させたいという場合、「画面を右側へ移動する」という画面上の操作に応じた、キーやタッチパネルの操作を利用者が行うことで、入力部４２１に入力される情報であり、「画面を右側へ移動する」旨を示す情報である。
【００３７】
通信部４２２は、入力部４２１から出力されてきた情報を、携帯端末３２０へ送信する。
【００３８】
また、携帯端末３２０は、情報を表示するディスプレイや、情報を入力するためのキーやタッチパネル等が具備された携帯端末装置である。
【００３９】
図５は、図３に示した携帯端末３２０の内部構造の一例を示す図である。また、図５には、図３に示した携帯端末３２０が具備する構成要素のうち、本発明に関わる構成要素のみを示した。
【００４０】
図３に示した携帯端末３２０には図５に示すように、情報取得部３２１と、情報送信部３２２とが設けられている。
【００４１】
情報取得部３２１は、携帯端末４２０−１，４２０−２に入力された操作情報を携帯端末４２０−１，４２０−２から取得する。このとき、情報取得部３２１は、携帯端末４２０−１，４２０−２から送信されてきた操作情報を受信することで取得するものであっても良いし、情報取得部３２１が、入力装置４００−１，４００−２に入力されて保持されている操作情報を読み出すことで取得するものであっても良いし、あるいは、情報取得部３２１が、入力装置４００−１，４００−２に対して操作情報の送信要求を行い、その要求に対して入力装置４００−１，４００−２から送信されてきた操作情報を受信することで取得するものであっても良い。また、情報取得部３２１は、取得した操作情報を情報送信部３２２へ出力する。このとき、情報取得部３２１は、複数の入力装置４００−１，４００−２から操作情報を取得した場合、これらの操作情報をまとめ、まとめた操作情報を情報送信部３２２へ出力する。
【００４２】
情報送信部３２２は、情報取得部３２１から出力されてきた操作情報を表示装置２００へ送信する。
【００４３】
図６は、図３に示した表示装置２００の内部構造の一例を示す図である。また、図６には、図３に示した表示装置２００が具備する構成要素のうち、本発明に関わる構成要素のみを示した。
【００４４】
図３に示した表示装置２００には図６に示すように、情報受信部２０１と、表示信号送信部２０２とが設けられている。
【００４５】
情報受信部２０１は、携帯端末３２０から送信されてきた操作情報を受信する。また、情報受信部２０１は、受信した操作情報を表示信号送信部２０２へ出力する。
【００４６】
表示信号送信部２０２は、情報受信部２０１から出力されてきた操作情報に応じた画面をディスプレイ１００に表示させるための表示信号をディスプレイ１００へ送信することで、ディスプレイ１００に操作情報に応じた画面を表示させる。
【００４７】
このように、複数の携帯端末４２０−１，４２０−２を用いてディスプレイ１００に表示された画像を操作することで、複数人が参加する会議システムにて、１つの表示画面の操作を各参加者が行うことができる。例えば、会議や説明会の資料とハードウェアカーソルとをディスプレイ１００に表示させ、表示されたカーソルを携帯端末４２０−１，４２０−２を用いて操作することで、レーザーポインタや指し棒等がなくても、ディスプレイ１００で資料内の該当箇所を共有することができる。
【００４８】
以下に、本形態における表示方法について説明する。ここでは、図３に示した形態における表示方法を例に挙げて説明する。
【００４９】
図７は、図３に示した形態における表示方法の第１の例を説明するためのシーケンス図である。この第１の例は、利用者が携帯端末４２０−１を操作して、ディスプレイ１００に表示されている画面を変更する処理である。
【００５０】
まず、利用者が携帯端末４２０−１の入力部４２１を操作することで、その操作に応じた操作情報が入力部４２１に入力されると（ステップＳ１）、当該操作情報が通信部４２２から携帯端末３２０へ送信される（ステップＳ２）。ここで、操作情報は、携帯端末４２０−１内に一旦保持されてから送信されるものであっても良い。
【００５１】
携帯端末４２０−１の通信部４２２から操作情報が送信されてきた操作情報が携帯端末３２０の情報取得部３２１にて受信されると、受信された操作情報が情報送信部３２２から表示装置２００へ送信される（ステップＳ３）。
【００５２】
携帯端末３２０の情報送信部３２２から操作情報が送信されてきた操作情報が表示装置２００の情報受信部２０１にて受信されると、受信された操作情報に応じた画面をディスプレイ１００に表示させるための表示信号が表示信号送信部２０２からディスプレイ１００へ送信される（ステップＳ４）。
【００５３】
すると、ディスプレイ１００に表示されている画面が、表示信号送信部２０２から送信されてきた表示信号に応じて変更される（ステップＳ５）。
【００５４】
図８は、図３に示した形態における表示方法の第２の例を説明するためのシーケンス図である。この第２の例は、利用者が携帯端末４２０−２を操作して、ディスプレイ１００に表示されている画面を変更する処理である。また、ここでは、携帯端末４２０−２の内部構造が、携帯端末４２０−１の内部構造と同じ（図４に示したもの）である場合を例に挙げて説明する。
【００５５】
まず、利用者が携帯端末４２０−２の入力部４２１を操作することで、その操作に応じた操作情報が入力部４２１に入力されると（ステップＳ１１）、当該操作情報が携帯端末４２０−２の通信部４２２から携帯端末３２０へ送信される（ステップＳ１２）。ここで、操作情報は、携帯端末４２０−２内に一旦保持されてから送信されるものであっても良い。
【００５６】
携帯端末４２０−２の通信部４２２から操作情報が送信されてきた操作情報が携帯端末３２０の情報取得部３２１にて受信されると、受信された操作情報が情報送信部３２２から表示装置２００へ送信される（ステップＳ１３）。
【００５７】
携帯端末３２０の情報送信部３２２から操作情報が送信されてきた操作情報が表示装置２００の情報受信部２０１にて受信されると、受信された操作情報に応じた画面をディスプレイ１００に表示させるための表示信号が表示信号送信部２０２からディスプレイ１００へ送信される（ステップＳ１４）。
【００５８】
すると、ディスプレイ１００に表示されている画面が、表示信号送信部２０２から送信されてきた表示信号に応じて変更される（ステップＳ１５）。
【００５９】
図９は、図３に示した形態における表示方法の第３の例を説明するためのシーケンス図である。この第３の例は、携帯端末４２０−１を所持する利用者と、携帯端末４２０−２を所持する利用者とが、それぞれ携帯端末４２０−１，４２０−２を操作して、ディスプレイ１００に表示されている画面を変更する処理である。
【００６０】
まず、利用者が携帯端末４２０−１を操作することで、その操作に応じた操作情報が携帯端末４２０−１に入力されると（ステップＳ２１）、当該操作情報が携帯端末４２０−１から携帯端末３２０へ送信される（ステップＳ２２）。ここで、操作情報は、携帯端末４２０−１内に一旦保持されてから送信されるものであっても良い。
【００６１】
一方、利用者が携帯端末４２０−２を操作することで、その操作に応じた操作情報が携帯端末４２０−２に入力されると（ステップＳ２３）、当該操作情報が携帯端末４２０−２から携帯端末３２０へ送信される（ステップＳ２４）。ここで、操作情報は、携帯端末４２０−２内に一旦保持されてから送信されるものであっても良い。
【００６２】
すると、ステップＳ２２にて携帯端末４２０−１から送信されてきた操作情報と、ステップＳ２４にて携帯端末４２０−２から送信されてきた操作情報とが、携帯端末３２０の情報取得部３２１にてまとめられ（ステップＳ２５）、まとめられた操作情報が携帯端末３２０の情報送信部３２２から表示装置２００へ送信される（ステップＳ２６）。
【００６３】
ここで、この「まとめる」処理について説明する。
【００６４】
２か所、つまり、携帯端末４２０−１から送信されてきた操作情報と、携帯端末４２０−２から送信されてきた操作情報とは、互いに独立しているものである。この２か所から互いに独立して送信されてきた操作情報を１か所（表示装置２００）へ送信するための信号（情報）へ多重するものである。ここでの多重の処理は、多重された操作情報から、表示装置２００にて各操作情報をそれぞれ認識（分離・抽出）できるような処理であれば良い。
【００６５】
図１０は、図５に示した情報取得部３２１における、操作情報をまとめる処理の一例のタイミングを示すタイムチャートである。
【００６６】
図１０に示すように、携帯端末４２０−１から送信されてきた操作情報Ａを情報取得部３２１が受信したタイミングと、携帯端末４２０−２から送信されてきた操作情報Ｂを情報取得部３２１が受信したタイミングとに重複する時間がない場合、操作情報Ａと操作情報Ｂとは、それぞれ受信したタイミングで１つの信号（情報）に時分割多重のように多重され、情報送信部３２２から表示装置２００へ送信される。
【００６７】
図１１は、図５に示した情報取得部３２１における、操作情報をまとめる処理の他の例のタイミングを示すタイムチャートである。
【００６８】
図１１に示すように、携帯端末４２０−１から送信されてきた操作情報Ａを情報取得部３２１が受信したタイミングと、携帯端末４２０−２から送信されてきた操作情報Ｂを情報取得部３２１が受信したタイミングとに重複する時間がある場合、操作情報Ａは、受信したタイミングで、また操作情報Ｂは、操作情報Ａのタイミングとは異なるタイミングにずらして、１つの信号（情報）に時分割多重のように多重され、情報送信部３２２から表示装置２００へ送信される。
【００６９】
なお、図１０および図１１では、携帯端末３２０における内部処理遅延時間については、説明の便宜上、省略している。また、ここで、操作情報Ａと操作情報Ｂとを連続したタイミングで送信するものが好ましい。
【００７０】
また、操作情報Ａおよび操作情報Ｂをそれぞれ複数のブロックに分割して、その複数のブロックを時分割で多重するものであっても良いし、周波数多重のように多重するものであっても良い。そのとき、表示装置２００にて、分割された操作情報Ａおよび操作情報Ｂを復元させることができることが条件である。
【００７１】
まとめられた操作情報が携帯端末３２０の情報送信部３２２から送信されてくると、表示装置２００にて携帯端末４２０−１から送信されてきた操作情報と携帯端末４２０−２から送信されてきた操作情報とに分けられて、それぞれの操作情報に応じた画面をディスプレイ１００に表示させるための表示信号が表示信号送信部２０２からディスプレイ１００へ送信される（ステップＳ２７）。
【００７２】
すると、ディスプレイ１００に表示されている画面が、表示信号送信部２０２から送信されてきた表示信号に応じて変更される（ステップＳ２８）。ここでは、２つの操作情報が送信されてきているため、２つの変更が行われる。
【００７３】
なお、携帯端末４２０−１，４２０−２と同様に、携帯端末３２０に操作情報が入力された場合は、当該操作情報についてもステップＳ２５の処理が行われる。
【００７４】
また、上述した各装置として、携帯電話機、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等、タッチパネル機能が具備された装置が考えられる。
【００７５】
上述したように本発明においては、複数の利用者（閲覧者）からのそれぞれの操作を１つのディスプレイで共有できることで、複数の利用者を想定した携帯端末装置向けのアプリケーションを実現することができる。また、ゲーム機とそのコントローラ、レーザーポインタ等の専用の機材ではなく、一般的に普及している携帯端末装置を利用することで、容易に環境を構築することができる。また、複数の入力装置からそれぞれ送信されてきた操作情報をまとめる装置と、操作情報に応じてディスプレイに画面を表示させる装置とを、別個の装置としたため、１つの装置における消費電力および発熱の低減を図ることができる。
【符号の説明】
【００７６】
１００    ディスプレイ
２００    表示装置
２０１    情報受信部
２０２    表示信号送信部
３００    情報処理装置
３１０    制御装置
３２０，４２０−１，４２０−２    携帯端末
３２１    情報取得部
３２２    情報送信部
４００−１，４００−２    入力装置
４１０−１，４１０−２    コントローラ
４２１    入力部
４２２    通信部
【図１】
2012226431.tif 000003
【図２】
2012226431.tif 000004
【図３】
2012226431.tif 000005
【図４】
2012226431.tif 000006
【図５】
2012226431.tif 000007
【図６】
2012226431.tif 000008
【図７】
2012226431.tif 000009
【図８】
2012226431.tif 000010
【図９】
2012226431.tif 000011
【図１０】
2012226431.tif 000012
【図１１】
2012226431.tif 000013